(57)【要約】物理チャネルにマッピングするシンボルを生成するために、第１（５３０）及び第２（５４０）のインターリーブ手段のインターリーブ機能をビットシーケンスに施すことで、ＵＴＲＡ−ＴＤＤ−ＨＳＤＰＡ無線通信システムにおけるチャネルマッピングを行うシステム及び方法が得られる。第１及び第２のインターリーブ手段は、所定の方法で体系的及びパリティのビットの各々からのシンボルをマッピングするよう構成される。所定の方法は、例えば、チャネルが偶数インデックス番号を有するならば順方向に、チャネルが奇数インデックス番号を有するならば逆方向にシンボルをマッピングする。シンボルは、各々が体系的ビット及びパリティビットであるビットペアから構成されてもよい。体系的ビットは好ましくはＴＤＤ−ＨＳＤＰＡにおける高信頼性のビット位置にマッピングされ、０．２ｄＢ乃至０．５ｄＢのパフォーマンス利得を達成する。順方向／逆方向マッピングは、フェージングチャネル又は短期的ノイズや干渉により乱されるチャネルのシステムパフォーマンスを改善する程度のインターリーブを可能にする。
2005522936.tif 000002
【特許請求の範囲】
【請求項１】
無線通信システムにおけるチャネルマッピングを行うシステムであって：
第１及び第２のチャネルの各々にマッピングするためのシンボルを生成するために、ビットシーケンスにインターリブを施す第１及び第２のインターリーブ手段を備え、
前記第１及び第２のインターリーブ手段は、所定の手法でシンボルをマッピングするよう形成される
ことを特徴とするシステム。 
【請求項２】
前記所定の手法は、チャネルが偶数インデックス番号である場合には順方向に、チャネルが奇数インデックス番号である場合には逆方向にシンボルをマッピングするものである
ことを特徴とする請求項１記載のシステム。
【請求項３】
前記第１及び第２のインターリーブ手段が、体系的及びパリティのビットをそれぞれインターリーブするよう形成される
ことを特徴とする請求項１又は２に記載のシステム。
【請求項４】
前記シンボルが、ビット対より成る
ことを特徴とする請求項１、２又は３に記載のシステム。
【請求項５】
前記ビット対の各々が体系的ビット及びパリティビットより成る
ことを特徴とする請求項４記載のシステム。
【請求項６】
前記シンボルが、１６ＱＡＭ変調方式で変調されるよう形成される
ことを特徴とする請求項１乃至５の何れか１項に記載のシステム。
【請求項７】
前記無線通信システムが、ＵＴＲＡ−ＴＤＤシステムである
ことを特徴とする請求項１乃至６の何れか１項に記載のシステム。
【請求項８】
前記第１及び第２のチャネルが、トランスポートチャネルにて形成される
ことを特徴とする請求項７記載のシステム。
【請求項９】
高速ダウンリンク共通チャネルで動作するよう形成される
ことを特徴とする請求項１乃至８の何れか１項に記載のシステム。
【請求項１０】
高速ダウンリンクパケットアクセスにて動作するよう形成される
ことを特徴とする請求項９記載のシステム。
【請求項１１】
無線通信システムにおけるチャネルデマッピングを行うシステムであって：
第１及び第２のチャネルの各々にマッピングするためのシンボルを表すビットシーケンスを生成するために、第１及び第２のチャネルの各々にデインターリブを施す第１及び第２のデインターリーブ手段を備え、
前記第１及び第２のデインターリーブ手段は、所定の手法でマッピングされたシンボルをデインタリーブするよう形成される
ことを特徴とするシステム。
【請求項１２】
前記所定の手法は、チャネルが偶数インデックス番号である場合には順方向に、チャネルが奇数インデックス番号である場合には逆方向にシンボルをマッピングするものである
ことを特徴とする請求項１１記載のシステム。
【請求項１３】
前記第１及び第２のデインターリーブ手段が、体系的及びパリティのビットをそれぞれデインターリーブするよう形成される
ことを特徴とする請求項１１又は１２に記載のシステム。
【請求項１４】
前記シンボルが、ビット対より成る
ことを特徴とする請求項１１、１２又は１３に記載のシステム。
【請求項１５】
前記ビット対の各々が体系的ビット及びパリティビットより成る
ことを特徴とする請求項１４記載のシステム。
【請求項１６】
前記シンボルが、１６ＱＡＭ変調方式で変調される
ことを特徴とする請求項１１乃至１５の何れか１項に記載のシステム。
【請求項１７】
前記無線通信システムが、ＵＴＲＡ−ＴＤＤシステムである
ことを特徴とする請求項１１乃至１６の何れか１項に記載のシステム。
【請求項１８】
前記第１及び第２のチャネルが、トランスポートチャネルにて形成される
ことを特徴とする請求項１７記載のシステム。
【請求項１９】
高速ダウンリンク共通チャネルで動作するよう形成される
ことを特徴とする請求項１１乃至１８の何れか１項に記載のシステム。
【請求項２０】
高速ダウンリンクパケットアクセスにて動作するよう形成される
ことを特徴とする請求項１９記載のシステム。
【請求項２１】
無線通信システムにおけるチャネルマッピングを行う方法であって：
第１及び第２のチャネルの各々にマッピングするためのシンボルを生成するために、第１及び第２のインターリーブ手段のインターリーブ機能をビットシーケンスに施し、
前記第１及び第２のインターリーブ手段は、所定の手法でシンボルをマッピングする
ことを特徴とする方法。
【請求項２２】
前記所定の手法は、チャネルが偶数インデックス番号である場合には順方向に、チャネルが奇数インデックス番号である場合には逆方向にシンボルをマッピングするものである
ことを特徴とする請求項２１記載の方法。
【請求項２３】
前記第１及び第２のインターリーブ手段が、体系的及びパリティのビットをそれぞれインターリーブするよう形成される
ことを特徴とする請求項２１又は２２に記載の方法。
【請求項２４】
前記シンボルが、ビット対より成る
ことを特徴とする請求項２１、２２又は２３に記載の方法。
【請求項２５】
前記ビット対の各々が体系的ビット及びパリティビットより成る
ことを特徴とする請求項２４記載の方法。
【請求項２６】
前記シンボルが、１６ＱＡＭ変調方式で変調される
ことを特徴とする請求項２１乃至２５の何れか１項に記載の方法。
【請求項２７】
前記無線通信システムが、ＵＴＲＡ−ＴＤＤシステムである
ことを特徴とする請求項２１乃至２６の何れか１項に記載の方法。
【請求項２８】
前記第１及び第２のチャネルが、トランスポートチャネルにて形成される
ことを特徴とする請求項２７記載の方法。
【請求項２９】
高速ダウンリンク共通チャネルで動作するよう形成される
ことを特徴とする請求項２１乃至２８の何れか１項に記載の方法。
【請求項３０】
高速ダウンリンクパケットアクセスにて動作するよう形成される
ことを特徴とする請求項２９記載の方法。
【請求項３１】
無線通信システムにおけるチャネルデマッピングを行う方法であって：
第１及び第２のチャネルの各々にマッピングされたシンボルを表すビットシーケンスを生成するために、第１及び第２のチャネルの各々に、第１及び第２のデインタリーバ手段のデインタリーブ機能を施し、
前記第１及び第２のデインターリーブ手段は、所定の手法でマッピングされたシンボルをデインタリーブする
ことを特徴とする方法。
【請求項３２】
前記所定の手法は、チャネルが偶数インデックス番号である場合には順方向に、チャネルが奇数インデックス番号である場合には逆方向にシンボルをマッピングするものである
ことを特徴とする請求項３１記載の方法。
【請求項３３】
前記第１及び第２のデインターリーブ手段が、体系的及びパリティのビットをそれぞれデインターリーブするよう形成される
ことを特徴とする請求項３１又は３２に記載の方法。
【請求項３４】
前記シンボルが、ビット対より成る
ことを特徴とする請求項３１、３２又は３３に記載の方法。
【請求項３５】
前記ビット対の各々が体系的ビット及びパリティビットより成る
ことを特徴とする請求項３４記載の方法。
【請求項３６】
前記シンボルが、１６ＱＡＭ変調方式で変調される
ことを特徴とする請求項３１乃至３５の何れか１項に記載の方法。
【請求項３７】
前記無線通信システムが、ＵＴＲＡ−ＴＤＤシステムである
ことを特徴とする請求項３１乃至３６の何れか１項に記載の方法。
【請求項３８】
前記第１及び第２のチャネルが、トランスポートチャネルにて形成される
ことを特徴とする請求項３７記載の方法。
【請求項３９】
高速ダウンリンク共通チャネルで動作するよう形成される
ことを特徴とする請求項３１乃至３８の何れか１項に記載の方法。
【請求項４０】
高速ダウンリンクパケットアクセスにて動作するよう形成される
ことを特徴とする請求項３９記載の方法。
【請求項４１】
請求項１乃至２０の何れか１項に記載のシステムを有する
ことを特徴とする無線通信システムで使用されるユーザ装置。
【請求項４２】
請求項１乃至２０の何れか１項に記載のシステムを有する
ことを特徴とする無線通信システムで使用される基地局。
【請求項４３】
請求項１乃至２０の何れか１項に記載のシステムを有する
ことを特徴とする集積回路。
【請求項４４】
請求項２１乃至４０の何れか１項に記載の方法を実質的に実行させる
ことを特徴とするコンピュータプログラム。
【発明の詳細な説明】
【技術分野】
【０００１】
本発明は、無線通信システムに関し、特に、進展する３ＧＰＰ（第三世代パートナーシッププロジェクト）規格に従うＵＭＴＳ（ユニバーサル移動通信システム）システムのようなパケットＴＤＤ−ＣＤＭＡ（時分割二重化−符号分割多重アクセス）システムに関連する。
【背景技術】
【０００２】
この種の技術分野では、ＴＤＤ−ＨＳＤＰＡ（高速ダウンリンクパケットアクセス）に関し、ＨＳ−ＤＳＣＨ（高速−ダウンリンク共通チャネル）伝送チャネルは、ＱＰＳＫ（直交位相シフトキーイング）又は１６ＱＡＭ（１６値直交振幅変調）変調を使用可能であることが知られている。１６ＱＡＭ変調では、（４つの同相レベルと４つの直交レベルより成る）１６レベルの信号に対して４ビットがマッピングされる。マッピングされた複数ビットの２つは、他の２つのマッピングされたビットより高い信頼性を有する（変調されるビットは、「高信頼性ビット」又は「低信頼性ビット」であるとして分類できる。）。
【０００３】
ＨＳ−ＤＳＣＨチャネル符号化では、ターボ符号を利用することが知られている。ターボ符号器で生成された体系的又は組織的な（ｓｙｓｔｅｍａｔｉｃ）ビットが、パリティビットより大きな信頼性と共に受信されるならば、ターボ符号のパフォーマンスは改善可能である。従って、その体系的なビットを、ターボ符号器の出力から、１６ＱＡＭコンステレーション内の「高信頼性ビット」にマッピングし、パリティビットを１６ＱＡＭコンステレーション内の「低信頼性ビット」にマッピングしようとすることは当然である。この手法は、「ビット優先化マッピング」として知られている。
【０００４】
ビット優先化マッピングは、「ＨＳ−ＤＳＣＨインターリーバ」が後に続く「ＨＡＲＱ（ハイブリッド自動反復要求）ビットコレクションインターリーバ」を用いるＦＤＤ（周波数分割二重化）ＨＳＤＰＡにて実現されることが知られている。「ＨＡＲＱビットコレクションインターリーバ」は、物理レイヤのハイブリッドＡＲＱ（自動反復要求）機能の出力におけるビットを整え、その出力にて体系的ビットの優先順序付けを行う：「ＨＡＲＱビットコレクションインターリーバ」は、奇数インデックスのビットが好ましくは体系的ビットであり、偶数インデックスのビットが好ましくはパリティビットであることを保証しようとする。
【０００５】
ＨＳ−ＤＰＣＨインターリーブの段階（ステージ）は、奇数インデックス及び偶数インデックスのビットを別々にインターリーブする（このようにして、好ましくは体系的であるビット群は、好ましくはパリティビットであるビット群から分離されることが確保される。）。ＦＤＤのＨＳＤＰＡでは、１６ＱＡＭシンボルにおいて、好ましくは体系的なインターリーバからのビットが、（物理チャネルマッピング段階で）高信頼性ビットにマッピングされ、好ましくはパリティインターリーバからのビットが低信頼性ビットにマッピングされる。
【０００６】
ＴＤＤにおける物理チャネルマッピング段階はある機能を一般に有し、それにより、奇数インデックス物理チャネルが順方向のビットで満たされ、偶数インデックス物理チャネルが逆方向のビットで満たされる。順方向に奇数インデックスチャネルを、逆方向に偶数インデックスチャネルを詰めることで、更に高度なインターリーブ効果が得られる。一般に、順方向／逆方向マッピングは、物理チャネルマッパーのインターリーブ機能と考えることができる。
【発明の開示】
【発明が解決しようとする課題】
【０００７】
上述のＴＤＤ物理チャネルマッピング法は、体系的ビットと高信頼性の位置との間の結びつきを乱すので、ＨＤＤＰＡには最適ではない。
【０００８】
ＴＤＤにおける物理チャネルマッピングの他の手法は、ＦＤＤと同じ操作を実行することである：物理チャネルは順方向に連続的に全てマッピングされる（物理チャネル１は順方向にマッピングされ；このマッピングが完了すると、残りのビットが順方向の物理チャネル２にマッピングされる、等々）。この代替手法は、好ましい体系的ビットを高信頼性ビットに、好ましいパリティビットを低信頼性ビットの位置にマッピングする利益を保持する。しかしながら、この代替手法はインターリーブの恩恵を与えず、その恩恵は、奇数インデックス物理チャネルを順方向に及び偶数インデックス物理チャネルを逆方向に詰めることで得られるものである。
【０００９】
従って、上記の欠点を軽減するチャネルマッピングが必要とされている。
【課題を解決するための手段】
【００１０】
本発明の第１態様によれば、請求項１に記載されるようなチャネルマッピングシステムが提供される。
【００１１】
本発明の第２態様によれば、請求項１１に記載されるようなチャネルデマッピングシステムが提供される。
【００１２】
本発明の第３態様によれば、請求項２１に記載されるようなチャネルマッピング方法が提供される。
【００１３】
本発明の第４態様によれば、請求項３１に記載されるようなチャネルデマッピング方法が提供される。
【発明の効果】
【００１４】
概して、好適な態様における本発明は、ＴＤＤ−ＨＳＤＰＡに関する新規且つ独創的な物理チャネルマッピング／デマッピング法を提供し、マッピングされる体系的ビットを１６ＱＡＭ変調における高信頼性の位置にマッピングすることを可能にしつつ、奇数インデックス物理チャネルに順方向マッピング規則を、偶数インデックス物理チャネルに逆方向マッピング規則を適用することによるインターリーブの恩恵を保持する。順方向／逆方向マッピングは、一般に、物理チャネルマッパーのインターリーブ機能と考えてもよい。
【００１５】
この新規な手法は、ビットではなくシンボルが、物理チャネルにマッピングされることを可能する。複数のシンボルは、奇数インデックス物理チャネル及び偶数インデックス物理チャネルに連続的に割り当てられてもよい。物理チャネルは、順方向及び逆方向に交互にマッピングされてもよい。
【００１６】
シンボルレベルでこのマッピング法を適用することは厳密には必須でない。体系的−パリティのビット対（１つの体系的ビット及び１つのパリティビットより成るペア）が奇数インデックス物理チャネル及び偶数インデックス物理チャネルに連続的に割り当てられるように、マッピングを実行することが可能である。物理チャネルは、順方向及び逆方向に交互にマッピングされてもよい。
【００１７】
この新規なマッピング法は、送信機に適用されてもよく、逆の手法が受信機にて適用されてもよい。
【００１８】
本説明では、別意のものを必要とする部分を除き、シンボルなる語は、複数のビットより成るいかなる表現物をも網羅することが意図される。
【発明を実施するための最良の形態】
【００１９】
以下、本発明を利用する３つのシンボルマッピングが、添付図面を参照しながら、単なる例をもって説明される。
【００２０】
図１を参照するに、典型的な標準的なＵＭＴＳネットワーク（１００）は、以下のものを有するものとして好都合に考察される：ユーザＳＩＭ（ＵＳＩＭ）領域（１２０）と移動装置領域（１３０）より成るユーザ装置領域（１１０）；及びアクセスネットワーク領域（１５０）及びコアネットワーク領域（１６０）より成るインフラストラクチャ領域（１４０）；コアネットワーク領域は、サービングネットワーク領域（１７０）と、トランジットネットワーク領域（１８０）と、ホームネットワーク領域（１９０）とを有する。
【００２１】
移動装置領域（１３０）では、ユーザ装置ＵＥ（１３０Ａ）は、ＵＳＩＭ領域１２０のユーザＳＩＭ（１２０Ａ）から、有線Ｃｕインターフェースを通じてデータを受信する。ＵＥ（１３０Ａ）は、ネットワークアクセス領域（１５０）のノードＢ（１５０Ａ）と、無線Ｕｕインターフェースを通じてデータを通信する。ネットワークアクセス領域（１５０）内では、ノードＢ（１５０Ａ）は、無線ネットワークコントローラ又はＲＮＣ（１５０Ｂ）とＩｕｂインターフェースを通じて通信する。ＲＮＣ（１５０Ｂ）は、別のＲＮＣ（図示せず）とＩｕｒインターフェースを通じて通信する。ＲＮＣ（１５０Ｂ）は、サービングネットワーク領域（１７０）のＳＧＳＮ（１７０Ａ）と、Ｉｕインターフェースを通じて通信する。サービングネットワーク領域（１７０）内では、ＳＧＳＮ（１７０Ａ）はＧＧＳＮ（１７０Ｂ）とＧｎインターフェースを通じて通信し、ＳＧＳＮ（１７０Ａ）はＶＬＲサーバ（１７０Ｃ）とＧｓインターフェースを通じて通信する。ＳＧＳＮ（１７０Ａ）は、ホームネットワーク領域（１９０）のＨＬＲサーバ（１９０Ａ）とＺｕインターフェースを通じて通信する。ＧＧＳＮ（１７０Ｂ）は、トランジットネットワーク領域（１８０）の公的なデータネットワーク（１８０Ａ）とＹｕインターフェースを通じて通信する。
【００２２】
ＲＮＣ（１５０Ｂ）、ＳＧＳＮ（１７０Ａ）及びＧＧＳＮ（１７０Ｂ）の要素は、図１に示されるように、アクセスネットワーク領域（１５０）及びサービングネットワーク領域（１７０）にわたって分割された個々の別々の装置として（それら自身の個々のソフトウエア／ハードウエアプラットフォームにて）、一般的に設けられる。
【００２３】
ＲＮＣ（１５０Ｂ）は、多くのノードＢ（１５０Ａ）のリソースの制御及び割当の責務を有するＵＴＲＡＮ要素であり；典型的には５０乃至１００個のノードＢが１つのＲＮＣにより制御される。また、ＲＮＣは、エアインターフェース上のユーザトラフィックの信頼可能な配信を支援する。ＲＮＣは、ハンドオーバ及びマクロダイバーシチをサポートするように、互いに通信を行う。
【００２４】
ＳＧＳＮ（１７０Ａ）は、セッション制御及び位置登録（ＨＬＲ及びＶＬＲ）に対するインターフェースに関する責務を有するＵＭＴＳネットワークコアネットワーク要素である。ＳＧＳＮは多くのＲＮＣに対する大きな中央コントローラである。
【００２５】
ＧＧＳＮ（１７０Ｂ）は、コアパケットネットワーク内のユーザデータを集結し、最終的な宛先（例えば、インターネットサービスプロバイダ−ＩＳＰ）へトンネリングする責務を有するＵＭＴＳネットワークコアネットワーク要素コアネットワーク要素である。
【００２６】
無線Ｕｎインターフェースは、ＵＥ（１３０Ａ）及びノードＢ（１５０Ａ）間で情報を伝送するためにトランスポートチャネル（伝送チャネル）ＴｒＣＨを使用する。図２では、ＴＤＤ−ＨＳＤＰＡ用の伝送チャネル処理手順が示される。図示されるように、ＣＲＣ（巡回冗長検査）付与（２１０）の後に、符号ブロック分割（２２０）、チャネル符号化（２３０）、物理層ハイブリッドＡＲＱ機能（２４０）、ビットスクランブリング（２５０）、物理チャネル分割（２６０）、ＨＳ−ＤＳＣＨインターリーブ（２７０）、物理チャネルマッピング（２８０）及び最終的に１６ＱＡＭ用のビット再配置が続き、２つの物理チャネルＰｈＣＨ＃１及びＰｈＣＨ＃２のための複数コードを作成する。このような伝送チャネル処理手順は、一般的によく知られており、更に詳細に説明されることを要しないことが、理解されるであろう。
【００２７】
ＨＳ−ＤＳＣＨ伝送チャネルは、ＱＰＳＫ又は１６ＱＡＭ変調を利用することができる。上述のように、１６ＱＡＭ変調の場合には、（４つの同相レベルと４つの直交レベルより成る）１６レベルの信号に対して４ビットがマッピングされる。マッピングされるビットの２つは、他の２つのビットよりも高い信頼性を有する（従って、変調されるビットは、「高信頼性ビット」又は「低信頼性ビット」として分類できる。）。
【００２８】
ＨＳ−ＤＳＣＨチャネル符号化は、よく知られているように、ターボ符号を利用する。ターボ符号器で生成された体系的ビットが、パリティビットより高い信頼性で受信される場合に、ターボ符号の実効性（パフォーマンス）が改善可能であることは周知である。従って、ターボ符号器の出力からの体系的ビットを、１６ＱＡＭコンステレーション中の「高信頼性ビット」に、パリティビットを１６ＱＡＭコンステレーション中の「低信頼性ビット」にマッピングしようとすることは当然であろう。この手法は、「ビット優先化マッピング」として知られる。
【００２９】
ビット優先化マッピングは、「ＨＳ−ＤＳＣＨインターリーバ」が後に続く「ＨＡＲＱビットコレクションインターリーバ」を用いるＦＤＤ−ＨＳＤＰＡにて実現される。「ＨＡＲＱビットコレクションインターリーバ」は、図２の物理層ハイブリッドＡＲＱ機能（２４０）の出力における複数ビットを整え、その出力にて体系的ビットの好ましい順序を達成する：「ＨＡＲＱビットコレクションインターリーバ」は、奇数インデックスビットが好ましくは体系的ビットであり、偶数インデックスビットが好ましくはパリティビットであることを保証しようとする。
【００３０】
図２のＨＳ−ＤＳＣＨインターリーブ段階（２７０）は、奇数インデックスの及び偶数インデックスのビットを別々にインターリーブする（このように、好ましくは体系的であるビット群が、好ましくはパリティビットであるビット群と別々に維持される。）。ＦＤＤ−ＨＳＤＰＡでは、（好ましくは体系的な）インターリーバからのビットが、（物理チャネルマッピングの段階で）高信頼性ビットにマッピングされ、（好ましくはパリティの）インターリーバからのビットは１６ＱＡＭシンボルの低信頼性ビットにマッピングされる。
【００３１】
ＴＤＤでは、物理チャネルマッピング段階（２８０）はある機能を一般に有し、その機能により、奇数インデックス物理チャネルは順方向のビットで満たされ、偶数インデックス物理チャネルは逆方向で満たされる。このプロセスは図３に示されており、その場合に、ビットストリームν１，ν２，ν３，．．．，ν１１０３，ν１１０４，は、１６ＱＡＭをサポートする２つの物理チャネルにマッピングされる。奇数インデックスチャネルを順方向に、偶数インデックスチャネルを逆方向に詰めることで、更に高度なインターリーブが達成される。一般に、順方向／逆方向マッピングは、物理チャネルマッパーのインターリーブ機能と考えることができる。
【００３２】
しかしながら、上述のＴＤＤ物理チャネルマッピング法は、体系的ビットと高信頼性の位置との間の関連性を乱すので、ＨＳＤＰＡにとって最適ではない。図３に示される場合を考察するに、「ＨＡＲＱビットコレクションインターリーバ」は、好ましくは、体系的ビットを奇数インデックスの位置（一般に、３１０で示されるν２ｋ−１）に、パリティビットを偶数インデックスの位置（一般に、３２０で示されるν２ｋ）に割り当てる：この場合に、好ましい体系的ビットは第１の物理チャネルにマッピングされ、好ましいパリティビットは第２の物理チャネルにマッピングされ；このため、最適でないパフォーマンスをもたらす。
【００３３】
図４に示されるように、ＴＤＤの物理チャネルマッピングの別の既存の手法は、ＦＤＤと同じ動作を実行するものであり、物理チャネルは順方向に連続的に全てマッピングされる：物理チャネル１は（一般的に４１０で示されるように、インデックス位置ν１，．．．，ν５５２にて）順方向にマッピングされ、このマッピングが完了すると、残りのビットが物理チャネル２に（一般的に４２０で示されるように、インデックス位置ν５５３，．．．，ν１１０４にて）順方向にマッピングされる、等々。図４に示される別の例では、物理チャネルの奇数インデックスビットは、変調器により変調されるシンボルの高信頼性ビット位置にマッピングされることが想定される。この代替手法は、好ましくは体系的ビットを高信頼性ビットに、好ましくはパリティビットを低信頼性位置にマッピングする利益を維持する。しかしながら、この代替手法はインターリーブの恩恵を与えず、その恩恵は、図３を参照しながら説明されたように、奇数インデックス物理チャネルを順方向で満たし、偶数インデックスチャネルを逆方向で満たすことで得られるものである。
【００３４】
図３及び図４に関連して上述されたＴＤＤ−ＨＳＤＰＡ用の何れの物理チャネルマッピング法の欠点を軽減するために、本発明は、ＴＤＤ−ＨＳＤＰＡ用の新規且つ独創的な物理チャネルマッピング法を提供する。以下に詳細に説明されるように、この新規な手法は、体系的ビットを、１６ＱＡＭ（又はより高次の）変調における高信頼性位置にマッピングすることを可能にしつつ、奇数インデックス物理チャネルの順方向マッピング規則及び偶数インデックス物理チャネルの逆向きマッピング規則を適用することで、インターリーブの恩恵を保持する。概して、順方向／逆方向マッピングは、物理チャネルマッパのインターリーブ機能と考えてもよい。
【００３５】
この新規な手法は、ビットではなくシンボルが、物理チャネルにマッピングされることを可能する。複数のシンボルは、奇数インデックス物理チャネル及び偶数インデックス物理チャネルに連続的に割り当てられてもよい。物理チャネルは、順方向及び逆方向に交互にマッピングされてもよい。概して、順方向／逆方向マッピングは、物理チャネルマッパーのインターリーブ機能と考えてもよい。
【００３６】
シンボルレベルでこのマッピング法を適用することは厳密には必須でない。体系的−パリティのビット対（１つの体系的ビット及び１つのパリティビットより成るペア）が奇数インデックス物理チャネル及び偶数インデックス物理チャネルに連続的に割り当てられるように、マッピングを実行することが可能である。物理チャネルは、順方向及び逆方向に交互にマッピングされてもよい。概して、順方向／逆方向のマッピングは、物理チャネルマッパのインターリーブ機能と考えてもよい。
【００３７】
この新規なマッピング法は、（例えば、ＵＥ又はノードＢにおける）送信機に適用されてもよく、逆の手法が（例えば、ノードＢ又はＵＥにおける）受信機にて適用されてもよい。
【実施例１】
【００３８】
図５には、実施例１のＴＤＤ−ＨＳＤＰＡ伝送チャネル処理手順の内の関連する部分が示されている。
【００３９】
以下に詳細に説明されるように、ＨＡＲＱビットコレクションブロック（５１０）は、先行するＨＡＲＱレートマッチング機能（図示せず）からのビットを収集し、ＨＤ−ＤＳＣＨインターリーバ（５２０）にビットを与え、そのインターリーバは体系的インターリーバ（５３０）及びパリティインターリーバ（５４０）より成る。「ｓｙｓ」のラベルの付されたビットは好ましくは体系的ビットであり、「ｐａｒ」のラベルの付されたビットは好ましくはパリティビットであることが、当業者に理解されるであろう。一般に、ＨＡＲＱレートマッチング機能は、同数の体系的及びパリティのビットを生成しない、というのは、「ｓｙｓ」ストリームは好ましくは体系的ビットを含むが、体系的ビットが不足していたならば、そのストリームはパリティビットを含んでもよいからである。ブロック５１０−５４０は当業者には周知であり、更に詳細に説明されることを要しないことも、理解されるであろう。
【００４０】
図５に示されるように、ＴＤＤ−ＨＳＤＰＡ伝送チャネル処理手順は、シンボルグループ化ブロック（５５０）及びシンボルの物理チャネルマッピングブロック（５６０）を含む。これら２つのブロックは、実現手段の中では、望まれるならば、単独のブロックに併合可能であることが、理解されるであろう。
【００４１】
本発明の実施例１では、シンボルグループ化機能（５５０）は、「ｓｙｓ」ストリームからのビット群と、「ｐａｒ」ストリームからのビット群とを使用する（１６ＱＡＭ変調の場合には、「ｓｙｓ」ストリームからの２ビットと、「ｐａｒ」ストリームからの２ビットとが存在する。）。生成されたシンボルの高信頼性ビットが「ｓｙｓ」グループから取り出され、生成されたシンボルの低信頼性ビットが「ｐａｒ」グループから取り出されるように、シンボルグループ化機能５５０は、２つのビット群をシンボルにマッピングする。
【００４２】
本発明の実施例１では、図５のシンボルグループ化機能（５５０）の出力にて「シンボル」と印されるグループ化された複数シンボルは、シンボル毎の物理チャネルマッパー（５６０）に送られる。シンボルベースの物理チャネルマッパ（５６０）は、次のようにしてシンボルを物理チャネルにマッピングする：
・複数シンボルが、複数の物理チャネルに、増加する順序でマッピングされる、
・奇数インデックス物理チャネルが、順方向のシンボルと共にマッピングされる及び
・偶数インデックス物理チャネルが、逆方向にマッピングされる。
【００４３】
シンボルグループ化機能（５６０）により生成されたシンボルは、既知の方法による伝送チャネルで変調して送信するための変調器（図示せず）に与えられる。シンボルグループ化機能（５６０）で生成されたシンボルが、ｓ１，ｓ２，ｓ３，ｓ４，．．．，ｓｎ−１，ｓｎと表現され、これらのシンボルが（説明の便宜上）２つの物理チャネルにマッピングされるならば、これらのシンボルは、図６に示されるように、物理チャネル＃１（６１０）及び＃２（６２０）にマッピングされる。
【００４４】
この例に関し、変調器のビット信頼性が物理チャネルデマッパーで維持されるように、上述したのと逆のプロセスが、ＵＥ（１３０Ａ）又はノードＢ（１５０Ａ）の受信機に適用されることを、当業者は理解するであろう。
【実施例２】
【００４５】
図７を参照するに、（図５に関して説明された実施例１と同様に）本発明の第２実施例では、ＨＡＲＱビットコレクションブロック（７１０）は、先行するＨＡＲＱレートマッチング機能（図示せず）からのビットを収集し、体系的インターリーバ（７３０）及びパリティインターリーバ（７４０）より成るＨＳ−ＤＳＣＨインターリーバ（７２０）にビットを与える。
【００４６】
図７に示されるように、実施例２のＴＤＤ−ＨＳＤＰＡ伝送チャネル処理手順はシンボルベースの物理チャネルマッピングブロック（７６０）を含み、既知の方法で伝送チャネル上で変調して送信するための変調器（図示せず）にシンボルを与えるが、図５の場合とは異なり、シンボルグループ化ブロック（５５０）のようなシンボルグループ化機能はないことが理解される；その代わりに実施例２では、物理チャネルにビットがマッピングされる順序が、ＦＤＤ−ＨＳＤＰＡの物理チャネルマッピングに関連して再定義される。簡明化のため、実施例２の以下の説明は、１６ＱＡＭ変調の場合における物理チャネルマッピング動作に着目する。当業者は、この説明を、１６ＱＡＭ以外の変調方式に一般化することができよう。
【００４７】
実施例２では、上述の実施例１のように、「ｓｙｓ」のラベルの付されたビットは好ましくは体系的ビットであり、「ｐａｒ」のラベルの付されたビットは好ましくはパリティビットである。
【００４８】
本発明の実施例２では、明示的な「シンボルグループ化」機能はない。本発明の実施例２における「シンボルベースの物理チャネルマッパ」（７６０）は、順序に関する充分な知識を用いてビットを物理チャネルにマッピングし、その順序は、変調器（図示せず）によって、マッピングされた物理チャネルから、ビットが読み出されるであろう順序である。本発明のこの実施例では、ビットのグループは、グループ毎に物理チャネルにマッピングされる。本発明のこの実施例では、グループサイズは、変調されたシンボルによって搬送されるビット数である（１６ＱＡＭの場合には、グループサイズは４ビットである。）。
【００４９】
一例として、ｕ１，ｕ２，ｕ５，ｕ６等（１６ＱＡＭに関し、一般的には、ｕ４ｋ＋１，ｕ４ｋ＋２）は変調シンボル内の高信頼性ビットにマッピングされ（図３に関して使用されたものと比較して異なる定義が使用されていることに留意を要する）、他のビットは変調シンボル内の低信頼性の位置にマッピングされる規則に従って、変調器が、ｕ１，ｕ２，ｕ３，ｕ４，．．．，ｕ５４９，ｕ５５０，ｕ５５１，ｕ５５２のビットを含む物理チャネルをシンボルに分解するならば、実施例２の「シンボルベースの物理チャネルマッパ」（７６０）は、入力ビットシーケンスν１，ν２，ν３，．．．，ν１１０３，ν１１０４（ビットν２ｋ−１は図７の「ｓｙｓ」ストリームから取り出され、ビットν２ｋは図７の「ｐａｒ」ストリームから取り出される。）を、図８に示されるようにマッピングされた物理チャネルビット＃１（８１０）及び＃２（８２０）にマッピングする。
【００５０】
図８に示されるマッピングはある効果を奏し、その効果は、変調器が、「ｓｙｓ」ストリームからのビットを変調シンボルの高信頼性ビット位置に、「ｐａｒ」ストリームからのビットを変調シンボルの低信頼性ビット位置にマッピングできることである。図８のマッピングも、ビットの「順方向／逆方向」マッピングのインターリーブ効果を奏する。
【実施例３】
【００５１】
図９を参照するに、（図７に関して説明された実施例２と同様に）ＨＡＲＱビットコレクションブロック（９１０）は、先行するＨＡＲＱレートマッチング機能（図示せず）からのビットを収集し、体系的インターリーバ（９３０）及びパリティインターリーバ（９４０）より成るＨＳ−ＤＳＣＨインターリーバ（９２０）にビットを与える。
【００５２】
実施例２と同様に、実施例３のＴＤＤ−ＨＳＤＰＡ伝送チャネル処理手順は、ビット対形式の物理チャネルマッピングブロック（９６０）を含み、既存の手法で伝送チャネル上で変調して送信するための変調器（図示せず）にビット対を与え、図５に関して説明された実施例１とは異なり、シンボルグループ化（５５０）のようなシンボルグループ化機能はない。実施例２のように、実施例３では、ビットが物理チャネルにマッピングされる順序は、ＦＤＤ−ＨＳＤＰＡの物理チャネルマッピングに関連して再定義される。簡明化のため、上記のように、実施例３に関する以下の説明は、１６ＱＡＭ変調の場合の物理チャネルマッピング動作に着目する。当業者はこの説明を１６ＱＡＭ以外の変調方式に一般化できよう。
【００５３】
実施例３では、上述の実施例１及び２のように、「ｓｙｓ」のラベルの付されたビットは好ましくは体系的ビットであり、「ｐａｒ」のラベルの付されたビットは好ましくはパリティビットである。
【００５４】
本発明の第３実施例では、グループサイズは２ビットである（そのグループは、単独の体系的ビット及び単独のパリティビットより成る。）。実施例３におけるビットのグループは、単独の（好ましくは）体系的ビット及び単独の（好ましくは）パリティビットより成る。実施例３では、ビットは、体系的−パリティのビット対（１つのペアは、単独の体系的ビット及び単独のパリティビットより成る。）にて物理チャネルに割り当てられる。このセクションでは、簡明化のため、１６ＱＡＭ変調の場合に関する物理チャネルマッピング動作に着目して説明する。当業者はこの説明を１６ＱＡＭ以外の変調方式に一般化できるであろう。
【００５５】
本発明の実施例３では、シンボルサイズのビット群ではなく、ビット対が物理チャネルにマッピングされる。本発明の実施例３における「ビット対の物理チャネルマッパ」（９６０）は、ある順序に関する充分な知識を用いてビットを物理チャネルにマッピングし、その順序は、マッピングされた物理チャネルから、変調器によってビットが読み出される順序である。
【００５６】
一例として、ｕ１，ｕ２，ｕ５，ｕ６等（１６ＱＡＭに関し、一般的には、ｕ４ｋ＋１，ｕ４ｋ＋２）は変調シンボル内の高信頼性ビットにマッピングされ（図３に関して使用されたものと比較して異なる定義が使用されていることに留意を要する）、他のビットは変調シンボル内の低信頼性の位置にマッピングされる規則に従って、変調器が、ｕ１，ｕ２，ｕ３，ｕ４，．．．，ｕ５４９，ｕ５５０，ｕ５５１，ｕ５５２のビットを含む物理チャネルをシンボルに分解するならば、実施例３の「ビット対ベースの物理チャネルマッパ」は、入力ビットシーケンスν１，ν２，ν３，．．．，ν１１０３，ν１１０４（ビットν２ｋ−１は図９の「ｓｙｓ」ストリームから取り出され、ビットν２ｋは図９の「ｐａｒ」ストリームから取り出される。）を、図１０に示されるようにマッピングされた物理チャネルビット＃１（１０１０）及び＃２（１０２０）にマッピングする。
【００５７】
図１０に示されるマッピングの要点は、１つのビット対からの複数ビットが同じ物理チャネルにマッピングされることである（例えば、同じビット対に属するビットν１及びν２は双方とも物理チャネル１にマッピングされる一方、同じビット対に属するビットν３及びν４は双方とも物理チャネル２にマッピングされることに留意を要する。）。１６ＱＡＭシンボルは厳密に４ビットより成るので、実施例３は、ν１，ν２，ν３及びν４が全て物理チャネル１にマッピングされる実施例２とは著しく異なる。
【００５８】
図１０に示されるマッピングはある効果を奏し、その効果は、変調器が、「ｓｙｓ」ストリームからのビットを変調シンボルの高信頼性ビット位置に、「ｐａｒ」ストリームからのビットを変調シンボルの低信頼性ビット位置にマッピングできることである。図１０のマッピングも、ビットの「順方向／逆方向」マッピングのインターリーブ効果を奏する。
【００５９】
無線通信システムにおける変調シンボル／ビット対マッピングに関して説明された方法は、プロセッサ（図示せず）上で動作するソフトウエアにて実行されてもよく、そのソフトウエアは、磁気的又は光学的なコンピュータディスクのような何らかの適切なデータキャリア（図示せず）により運ばれるコンピュータプログラム要素として提供されてもよいことが、理解されるであろう。
【００６０】
無線通信システムにおける変調シンボル／ビット対マッピングに関して説明された方法は、代替的に、ハードウエアで実行されてもよく、例えばＦＰＧＡ（フィールドプログラマブルゲートアレー）又はＡＳＩＣ（特定用途向け集積回路）のような集積回路（図示せず）の形式で実行されてもよいことが、理解されるであろう。
【００６１】
上述の変調シンボル／ビット対マッピング法は、以下の利点を与えることが理解されるであろう：
・体系的ビットは、ＴＤＤ−ＨＳＤＰＡの高信頼性ビット位置に好適にマッピングされる。これは、０．２ｄＢ乃至０．５ｄＢの利得向上を達成できる。
【００６２】
・順方向／逆方向マッピングは、連続的な物理チャネルに適用可能である。これは、インターリーブの程度を向上させ、フェージングチャネル又は短期的ノイズや干渉により乱されるチャネルに対するシステムパフォーマンスを向上させる。
【図面の簡単な説明】
【００６３】
【図１】本発明が使用されるＵＴＲＡシステムを表すブロック図を示す。
【図２】図１のシステムにおけるＴＤＤ−ＨＳＤＰＡの伝送チャネル処理手順を示す。
【図３】１１０４ビットを１６ＱＡＭで変調される２チャネルにマッピングする従来のＴＤＤ物理チャネルを示す。
【図４】図３に示されるものに関する従来の別の物理チャネルマッピング法を示す。
【図５】本発明の第１実施例による伝送チャネル処理手順の部分を示す。
【図６】図５に示される実施例による物理チャネルマッピングのシンボルを示す。
【図７】本発明の第２実施例による伝送チャネル処理手順の部分を示す。
【図８】図７に示される実施例による物理チャネルマッピングのシンボルを示す。
【図９】本発明の第３実施例による伝送チャネル処理手順の部分を示す。
【図１０】図９に示される実施例による物理チャネルマッピングのシンボルを示す。
【図１】
2005522936.tif 000003
【図２】
2005522936.tif 000004
【図３】
2005522936.tif 000005
【図４】
2005522936.tif 000006
【図５】
2005522936.tif 000007
【図６】
2005522936.tif 000008
【図７】
2005522936.tif 000009
【図８】
2005522936.tif 000010
【図９】
2005522936.tif 000011
【図１０】
2005522936.tif 000012
【国際調査報告】
2005522936.tif 000013
2005522936.tif 000014
2005522936.tif 000015